(57)【要約】      （修正有）【課題】人工肛門、人工膀胱のストーマ（開口部）に装着されるストーマパウチが直接肌に接触するのを防止するための万能ストーマ開口部台布を提供する。【解決手段】下着類の切り欠き用台布であって、該台布の一の片面に熱融着樹脂が塗布され、該台布の熱融着樹脂の塗布されていない他の片面に各種ストーマ口径に対応する複数の円形の切り込み破線が表示されたことを特徴とする。【選択図】図３
0003160225.tif 000002
【実用新案登録請求の範囲】
【請求項１】
下着類の切り欠き用の台布であって、
該台布の一の片面に熱融着樹脂が塗布され、該台布の他の片面に各種ストーマ口径に対応する複数の円形の切り込み破線が表示されたことを特徴とする万能ストーマ開口部台布。
【請求項２】
請求項１に記載の台布であって、
該台布の非熱融着樹脂面に複数の円形の切り込み破線が台布に印刷されていることを特徴とする万能ストーマ開口部台布。
【請求項３】
請求項１又は請求項２に記載の台布であって、
台布自体が円形の切り込み破線と同心円状をなす円形形状であることを特徴とする万能ストーマ開口部台布。
【請求項４】
請求項１から請求項３のいずれかに記載された台布であって、
複数の円形の切り込み破線毎に、該円形切り込み破線の口径寸法が数字表示されていることを特徴とする万能ストーマ開口部台布。
【考案の詳細な説明】
【技術分野】
【０００１】
本考案は、人口肛門、人口膀胱のストーマ（開口部）に装着されるストーマパウチが直接肌に接触するのを防止するための治具に関する。
【背景技術】
【０００２】
ストーマパウチは、排泄物を確実に閉じ込め、一方で身体の動きに対して柔軟に変形する必要性からゴムあるいは積層フィルム材が使用されている。これら材質が直接肌に長時間触れると違和感を覚え、極端な場合には、炎症を起こすことがある。そこでストーマパウチが肌に直接接することが無いようにする「開口部付き下着」（特許文献１）、あるいは「パウチカバー」（特許文献２）が知られている。
【特許文献１】特開平１０−２７７０７７号
【特許文献２】特開２００３−１２６１３４号
【考案の開示】
【考案が解決しようとする課題】
【０００３】
特許文献１の「開口部付き下着」の場合は、下着に縫い付けられた環状の捻れテープの開口線に沿って切り開いて使用するので、切り口の長さを調整することができ、ストーマの口径の違いは、ある程度、吸収できる。したがって、複数の口径に対応でき、後述する「パウチカバー」のような再購入の不便さは必ずしも無いが、縫い付けられた環状の捻じれテープの位置が下着の特定位置に固定されているので、患者によっては、自己のストーマの位置と下着の開口部との位置が合わないため、使用できないといった課題があった。  
【０００４】
一方、特許文献２の「パウチカバー」の場合、ストーマに勘合して使用するので、自己のストーマとパウチカバーの位置が合わないという問題は発生しない。しかしパウチカバーには、予めストーマ勘合用の穴があいているが、ストーマの口径には、４０ｍｍ、５０ｍｍ、６０ｍｍ、７０ｍｍと多種類であるので、患者が使用するストーマを口径の異なるストーマに取り換えたい場合、あるいは購入時の誤りにより口径が合わない「パウチカバー」を購入してしまったような場合には、ストーマとパウチカバーの勘合がしっくりせず、ずるずる感が生じ、これを払しょくするには、別途新規に「パウチカバー」を購入しなければならないという課題があった。
【課題を解決するための手段】
【０００５】
上記課題を解決するため、本考案は、下着類の切り欠き用台布であって、該台布の一の片面に熱融着樹脂が塗布され、該台布の熱融着樹脂の塗布されていない他の片面に各種ストーマ口径に対応する複数の円形の切り込み破線が表示されたことを特徴とする万能ストーマ開口部台布である。
【考案の効果】
【０００６】
本考案による万能ストーマ開口部台布の場合、使用するストーマの口径に合わせて、下着を切り欠くことができ、且つ下着の任意の位置に貼り付けできるので、口径違いによるずるずる感、下着開口部とストーマ位置の不一致による不便さを解消できる。
【考案を実施するための最良の形態】
【０００７】
以下実施例によって、最良の形態について説明する。
【実施例１】
【０００８】
図１は、従来用いられていたストーマケア・下着の一例である。図１に示すようにストーマケア・下着には、多くの患者の平均的ストーマ位置に環状の捻じれテープ２００が一つ又は左右に二つ縫い付けられている。環状の捻じれテープ２００の中央部には、切り目を入れるためのガイドとなる開口線２０１があり、これに沿って、下着に切り込みを入れて使用する。この環状の捻れテープ２００は、帯状テープを捻じって折り返しているので、テープの開口線に沿って、切り込みが入っても、下着が容易に解（ほつ）れることのないようにできている。
【０００９】
患者は、図２に示すように自分のストーマの配置されている側の環状の捻れテープ２００の開口線２０１にストーマの口径に合わせて切り込みを入れ、該環状の捻じれタープを押し広げて、そこにストーマ３００が顔を出すようして使用する。
【００１０】
直線形状の開口線２０１をストーマ口径に合うように切り込みを入れることが一つのポイントであるが、何といっても、環状の捻じれテープは統計的に算出されたストーマの平均的位置に縫い付けられているので、患者によっては、平均よりかなり離れた位置にストーマがあるので、ストーマが上手く顔を出さず、使用できないことがある。
【００１１】
これに対して、図３に示す本考案の万能ストーマ開口部台布４００は、下着とは独立したものであって、図４に示すように下着の任意の位置に配置することができる。本台布４００は、ナイロンを主体にポリウレタンを配合した伸縮性に富む素材を用い、その片面は、ポリアミド系の熱融着樹脂が塗布されており、アイロンにより熱圧着すると容易に下着類に貼り付けることができる。また、熱融着樹脂の塗布されていない他の片面には、図３に示すように、ストーマの開口部が破線で印刷表示されている。  
【００１２】
患者は、自分のストーマの位置に合わせて、本万能ストーマ開口部台布を下着に加熱したアイロンを用いて熱圧着する。ここで下着は、ごく普通の下着を用いることでよく、特製の下着を購入する必要がない点も患者にコスト負担を掛けない優位な点である。  
【００１３】
下着に本万能ストーマ開口部台布を熱圧着した後は、図５に示すように、円形の台布を下着ともども二つ折にし、自分のストーマ３００の口径を示す破線に沿って、台布及び下着を切り欠くことで、図６に示すように、自己のストーマ３００がどんぴしゃりの位置に顔を出す。
【実施例２】
【００１４】
実施例2は、「パウチカバー」を使用する場合である。「パウチカバー」は実施例１の下着の場合と違って、ストーマに勘合させて使用されるので、ストーマの位置との不一致の問題は発生しないが、ストーマ口径との勘合の悪さが問題となる。
図７は、本考案の万能ストーマ開口部台布を「パウチカバー」に熱圧着した状態を示す。パウチカバーにはポケット７００付きがあり、このポケット７００にパウチを収納することで、パウチが安定し、使い勝手が良い点が特徴である。
【００１５】
パウチカバー６００に熱圧着した万能ストーマ開口部台布を図５に示したのと同様の方法で、二つ折にし、自己のストーマ３００の口径を示す破線に沿って、台布とパウチカバーとを一緒に切り欠く。これにより、ストーマとパウチカバーは完全に密な勘合が得られ、パウチカバーを使用時のずるずる感は、払拭され、パウチポケット７００と相まって使用感が格段に改善される。
【図面の簡単な説明】
【００１６】
【図１】従来技術のストーマケア・下着
【図２】従来技術のストーマケア・下着の使用状態
【図３】本考案の万能ストーマ開口部台布
【図４】実施例１の万能ストーマ開口部台布を圧着した状態
【図５】実施例１の万能ストーマ開口部台布の切断方法
【図６】実施例１の万能ストーマ開口部台布の使用状態
【図７】実施例２の万能ストーマ開口部台布を圧着した状態
【符号の説明】
【００１７】
１００    ストーマケア・下着
１５０    通常の下着
２００    環状の捻じれテープ
２０１    環状のねじれテープの開口線
３００    ストーマ
４００    万能ストーマ開口部台布
５００    はさみ
６００    ポケット付きパウチカバー
７００    パウチ収納用のポケット
【図１】
0003160225.tif 000003
【図２】
0003160225.tif 000004
【図３】
0003160225.tif 000005
【図４】
0003160225.tif 000006
【図５】
0003160225.tif 000007
【図６】
0003160225.tif 000008
【図７】
0003160225.tif 000009